(57)【特許請求の範囲】
【請求項１】
矩形状をなす基板の中央部側と辺縁部側との対向するバス電極に櫛形電極指を連ならせた構成を有しており、前記基板の対角方向に弾性表面波を励振または受信するＩＤＴが、前記基板の辺縁部に設けられているタッチパネル装置であって、前記基板の中央部側の前記バス電極に接続されており、前記ＩＤＴ内部を通って前記基板の辺縁部側へ引き出される１または複数の引き出し電極を備えることを特徴とするタッチパネル装置。
【請求項２】
前記引き出し電極によって分画された前記ＩＤＴの各領域が同様の構造をなしているようにした請求項１記載のタッチパネル装置。
【請求項３】
前記ＩＤＴの各領域のインピーダンスが等しくなるように、前記引き出し電極を配置した請求項２記載のタッチパネル装置。
【請求項４】
前記ＩＤＴの各領域における静電容量が等しい請求項３記載のタッチパネル装置。
【請求項５】
前記引き出し電極は複数本であり、該複数の引き出し電極夫々の抵抗値が等しい請求項３記載のタッチパネル装置。
【請求項６】
前記引き出し電極の幅は、（３／８＋ｎ）λ（λ：前記弾性表面波の波長，ｎ：負でない整数）である請求項１〜５の何れかに記載のタッチパネル装置。
【請求項７】
前記引き出し電極は櫛歯状をなしている請求項６記載のタッチパネル装置。
【請求項８】
前記バス電極内に、前記引き出し電極に接続するパッドが設けられている請求項１〜７の何れかに記載のタッチパネル装置。
【請求項９】
矩形状をなす基板の中央部側と辺縁部側との対向するバス電極に櫛形電極指を連ならせた構成を有しており、前記基板の対角方向に弾性表面波を励振または受信するＩＤＴが、前記基板の辺縁部に設けられているタッチパネル装置であって、前記基板の中央部側の前記バス電極に接続されており、前記ＩＤＴ内部を通って前記基板の辺縁部側へ引き出される１または複数の引き出し電極と、前記引き出し電極に設けられたパッドと、該パッドに対応した接続部分を有するフレキシブル基板とを備えることを特徴とするタッチパネル装置。
【請求項１０】
前記フレキシブル基板は前記ＩＤＴを被うべく配置されている請求項９記載のタッチパネル装置。
【請求項１１】
前記フレキシブル基板は前記ＩＤＴを被う部分に、前記引き出し電極に接続される引回し線を有する請求項１０記載のタッチパネル装置。
【請求項１２】
前記フレキシブル基板は、前記基板の厚さ方向に折り曲げられた構造をなす請求項９〜１１の何れかに記載のタッチパネル装置。
【請求項１３】
前記フレキシブル基板は、長尺の素材を折り曲げられた構造をなす請求項１２記載のタッチパネル装置。
【発明の詳細な説明】
【０００１】
【発明の属する技術分野】
本発明は、指，ペンなどの物体が接触したことを検出するタッチパネル装置に関し、特に、ＩＤＴ（Inter Digital Transducer：櫛形電極）を用いた弾性表面波（ＳＡＷ：Surface Acoustic Wave)の減衰，遮断を検知してその接触位置を検出するタッチパネル装置に関する。
【０００２】
【従来の技術】
主としてパーソナルコンピュータ等のコンピュータシステムの普及に伴って、コンピュータシステムにより情報が表示される表示装置の表示画面上を指またはペンにより指示することにより、新たな情報を入力したり、コンピュータシステムに対して種々の指示を与えたりする装置が利用されている。パーソナルコンピュータ等の表示装置の表示画面に表示された情報に対してタッチ方式にて入力操作を行う場合には、その表示画面上での接触位置（指示位置）を高精度に検出する必要がある。
【０００３】
指，ペンなどの物体の接触位置を検出するタッチパネル装置としては、抵抗膜を用いた装置と超音波を用いた装置とが良く知られている。前者の抵抗膜を用いた装置では、抵抗膜に物体が接触することによって生じるその抵抗膜の抵抗値の変化を検知する。これは、消費電力が少なくて良いが、応答時間，検出性能，耐久性の点で問題がある。
【０００４】
これに対して、超音波を用いた装置では、例えば非圧電基板に弾性表面波を伝播させて、その非圧電基板に指，ペンなどの物体が接触することによって生じる弾性表面波の減衰を検知して、物体による接触位置を検出するものである。弾性表面波を励振，受信するトランスデューサとして、フォトリソグラフィ技術を用いて一括形成が可能なＩＤＴを用いるタッチパネル装置の研究開発を、本発明者等は進めている。このタッチパネル装置では、弾性表面波を励振する励振素子及び伝播された弾性表面波を受信する受信素子として、ＩＤＴ及び圧電薄膜にて構成される素子を使用する。
【０００５】
図１５は、ＩＤＴを用いるこのような従来のタッチパネル装置の構成を示す図である。図１５において、６０は例えばガラス材からなる矩形状の非圧電基板であり、非圧電基板６０のＸ方向，Ｙ方向夫々の一端部には、入力ＩＤＴ及び圧電薄膜で構成されており、弾性表面波を励振する複数の励振素子６５が、夫々を複数のトラック夫々に対応させて、一列状に配列して形成されている。また、非圧電基板６０のＸ方向，Ｙ方向夫々の他端部には、励振素子６５に対向させた態様で、出力ＩＤＴ及び圧電薄膜で構成されており、弾性表面波を受信する複数の受信素子６６が一列状に配列して形成されている。
【０００６】
図１５に示すタッチパネル装置では、各励振素子６５に電気信号を入力して弾性表面波を励振させて、非圧電基板６０を伝播させ、伝播した弾性表面波を各受信素子６６で受信させる。そして、非圧電基板６０上の弾性表面波の伝播路に物体が接触した場合には、弾性表面波は減衰する。よって、受信素子６６の受信信号のレベル減衰の有無を検知することによって、物体の接触の有無及びその接触位置を検出することが可能である。
【０００７】
また、本発明者等は、基板の斜め方向（対角方向）に弾性表面波を伝播させるように励振素子，受信素子を配置するようにしたタッチパネル装置を提案している。図１６は、このようなタッチパネル装置の電極構造例を示す図である。図１６において、７０は例えばガラス材からなる矩形状の非圧電基板であり、中央の破線で囲まれた部分が、接触位置を検出できる検出領域７０ａである。
【０００８】
非圧電基板７０の周縁部である検出領域７０ａの外側の額縁領域には、４個のＩＤＴ７１が配置されている。各ＩＤＴ７１は、対向するバス電極７２，７２から櫛形電極指７３を途中で屈曲させて交互に連ねた構成をなしている。この構成によって、バス電極７２，７２の対向方向から２方向に傾けた櫛形電極指７３の配列を形成し、２方向への弾性表示波の励振及び２方向からの弾性表示波の受信を実現している。この例では、上辺側及び下辺側のＩＤＴ７１が異なる２方向へ同時に弾性表示波を励振する励振素子として機能し、左辺側及び右辺側のＩＤＴ７１が異なる２方向から弾性表示波を受信する受信素子として機能する。
【０００９】
上辺側及び下辺側の各ＩＤＴ７１のバス電極７２に接続させて、入力用，グランド用の端子７４，７４が設けられている。また、左辺側及び右辺側の各ＩＤＴ７１のバス電極７２に接続させて、出力用，グランド用の端子７４，７４が設けられている。そして、各端子７４には、各引き回し線７７が接続される。
【００１０】
図１７は、図１６に対応したフレキシブル基板７８を示す図である。フレキシブル基板７８には、引き回し線７７に対応する位置に導体パターン７９が形成されている。そして、このフレキシブル基板７８を図１６に示すような電極構造に被せてタッチパネル装置を構成する。
【００１１】
このようにタッチパネル装置からの信号の引き出しにフレキシブル基板７８を利用することは実装上有利である。図１６，図１７に示すように、長尺なバス電極７２で挟まれたＩＤＴ７１を、額縁領域の検出領域７０ａに近い側に配置し、その外側に引き回し線７７を配線し、それらの引き回し線７７を一辺に集約させる構成をとっている。このように集約される引き回し線７７は、フレキシブル基板７８の導体パターン７９を介して外部の回路に接続される。ところで、額縁領域はタッチ位置を検出できない領域であるため、その額縁領域の面積を狭くすることが製品価値の重要な要素であり、その面積の狭小化を図るためには、バス電極７２及び引き回し線７７の幅を狭くする必要がある。
【００１２】
【発明が解決しようとする課題】
図１６，図１７に示すような従来の構成では、パネル全体にわたって構成されたＩＤＴの長尺なバス電極により信号が順次伝播されることによって抵抗損失が発生するので、受信した弾性表面波の強度が低下してしまうという問題がある。このような抵抗損失の発生を防止するためには、バス電極及び引き回し線の幅を増大させる必要があるが、これは額縁領域の狭小化には相反する。また、これらの膜厚を増加させることも考えられるが、励振・受信部（ＩＤＴ）と伝送部（バス電極及び引き回し線）とでの膜厚の最適条件が異なることになるので、製造プロセスが複雑化するという課題が残る。
【００１３】
本発明は斯かる事情に鑑みてなされたものであり、額縁領域を大きくすることなく、伝送部での抵抗損失を低減できるタッチパネル装置を提供することを目的とする。
【００１４】
本発明の他の目的は、額縁領域の更なる狭小化を図れるタッチパネル装置を提供することにある。
【００１５】
【課題を解決するための手段】
請求項１に係るタッチパネル装置は、矩形状をなす基板の中央部側と辺縁部側との対向するバス電極に櫛形電極指を連ならせた構成を有しており、前記基板の対角方向に弾性表面波を励振または受信するＩＤＴが、前記基板の辺縁部に設けられているタッチパネル装置であって、前記基板の中央部側の前記バス電極に接続されており、前記ＩＤＴ内部を通って前記基板の辺縁部側へ引き出される１または複数の引き出し電極を備えることを特徴とする。
【００１６】
請求項１のタッチパネル装置にあっては、基板の中央部側のバス電極からＩＤＴ内部を通って基板の周縁部側へ引き出し電極を設けている。よって、信号がこの引き出し電極を通るようになるため、長尺のバス電極を信号が順次伝播することがなくなり、バス電極での抵抗損失は少なくなる。
【００１７】
請求項２に係るタッチパネル装置は、請求項１において、前記引き出し電極によって分画された前記ＩＤＴの各領域が同様の構造をなしているようにしたことを特徴とする。
【００１８】
請求項２のタッチパネル装置にあっては、引き出し電極によってＩＤＴが複数の領域に均等に分画される。よって、各辺から励振される弾性表面波の変換効率が平均化するため、より単純な変換処理が可能となる。
【００１９】
請求項３に係るタッチパネル装置は、請求項２において、前記ＩＤＴの各領域のインピーダンスが等しくなるように、前記引き出し電極を配置したことを特徴とする。
【００２０】
請求項３のタッチパネル装置にあっては、引き出し電極によって分画されたＩＤＴの各領域のインピーダンスが等しくなっている。よって、各領域において励振効率の均質化が図れる。
【００２１】
請求項４に係るタッチパネル装置は、請求項３において、前記ＩＤＴの各領域における静電容量が等しいことを特徴とする。
【００２２】
請求項４のタッチパネル装置にあっては、引き出し電極によって分画されたＩＤＴの各領域の静電容量が等しくなっている。よって、安定した駆動検出を行える。
【００２３】
請求項５に係るタッチパネル装置は、請求項３において、前記引き出し電極は複数本であり、該複数の引き出し電極夫々の抵抗値が等しいことを特徴とする。
【００２４】
請求項５のタッチパネル装置にあっては、複数の引き出し電極夫々の抵抗値が等しくなっている。よって、各領域において抵抗損失の影響が一定に抑えられる。
【００２５】
請求項６に係るタッチパネル装置は、請求項１〜５の何れかにおいて、前記引き出し電極の幅は、（３／８＋ｎ）λ（λ：前記弾性表面波の波長，ｎ：負でない整数）であることを特徴とする。
【００２６】
請求項６のタッチパネル装置にあっては、引き出し電極の幅を（３／８＋ｎ）λ（λ：弾性表面波の波長，ｎ：負でない整数）に設定しており、設計パラメータでの特性予測を行えて、励振効率を低下させることがない。
【００２７】
請求項７に係るタッチパネル装置は、請求項６において、前記引き出し電極は櫛歯状をなしていることを特徴とする。
【００２８】
請求項７のタッチパネル装置にあっては、引き出し電極が櫛歯状をなしている。よって、引き出し電極にも反射波の影響をキャンセルする効果を期待でき、ＩＤＴで生じる不要な機械的反射の影響を緩和する。
【００２９】
請求項８に係るタッチパネル装置は、請求項１〜７の何れかにおいて、前記バス電極内に、前記引き出し電極に接続するパッドが設けられていることを特徴とする。
【００３０】
請求項８のタッチパネル装置にあっては、引き出し電極と接続されるパッドがバス電極内に設けられている。よって、バス電極の導体部も利用して低抵抗化を図れると共に、パッド面積を削減して額縁領域の狭小化を図れ、また、接点不良の影響を最小限に留めて歩留りが向上する。
【００３１】
請求項９に係るタッチパネル装置は、矩形状をなす基板の中央部側と辺縁部側との対向するバス電極に櫛形電極指を連ならせた構成を有しており、前記基板の対角方向に弾性表面波を励振または受信するＩＤＴが、前記基板の辺縁部に設けられているタッチパネル装置であって、前記基板の中央部側の前記バス電極に接続されており、前記ＩＤＴ内部を通って前記基板の辺縁部側へ引き出される１または複数の引き出し電極と、前記引き出し電極に設けられたパッドと、該パッドに対応した接続部分を有するフレキシブル基板とを備えることを特徴とする。
【００３２】
請求項９のタッチパネル装置にあっては、請求項１と同様、基板の中央部側のバス電極からＩＤＴ内部を通って基板の周縁部側へ引き出し電極を設けていて、信号がこの引き出し電極を通るようになるため、長尺のバス電極を信号が順次伝播することがなくなり、バス電極での抵抗損失は少なくなる。また、フレキシブル基板が被せられる。よって、抵抗損失の更なる低減と伝送の安定化とを図れる。
【００３３】
請求項１０に係るタッチパネル装置は、請求項９において、前記フレキシブル基板は前記ＩＤＴを被うべく配置されていることを特徴とする。
【００３４】
請求項１０のタッチパネル装置にあっては、ＩＤＴがフレキシブル基板にて被われており、不意の衝撃に対する緩衝部材としてフレキシブル基板が機能し、信頼性が高まる。
【００３５】
請求項１１に係るタッチパネル装置は、請求項１０において、前記フレキシブル基板は前記ＩＤＴを被う部分に、前記引き出し電極に接続される引回し線を有することを特徴とする。
【００３６】
請求項１１のタッチパネル装置にあっては、引き出し電極に接続される引回し線がＩＤＴの上方に配置されている。よって、額縁領域の狭小化を図れる。
【００３７】
請求項１２に係るタッチパネル装置は、請求項９〜１１の何れかにおいて、前記フレキシブル基板は、前記基板の厚さ方向に折り曲げられた構造をなすことを特徴とする。
【００３８】
請求項１２のタッチパネル装置にあっては、フレキシブル基板が、ＩＤＴを設けた基板の厚さ方向に折り曲げられている。よって、その折り曲げた部分に引回し線を配置でき、額縁領域の更なる狭小化を図れる。
【００３９】
請求項１３に係るタッチパネル装置は、請求項１２において、前記フレキシブル基板は、長尺の素材を折り曲げられた構造をなすことを特徴とする。
【００４０】
請求項１３のタッチパネル装置にあっては、フレキシブル基板を、長尺の素材が折り曲げられた構造としている。よって、量産を容易に行える。
【００４１】
【発明の実施の形態】
以下、本発明をその実施の形態を示す図面を参照して具体的に説明する。
（第１実施の形態）
図１は、本発明に係るタッチパネル装置の励振素子または受信素子として用いるＩＤＴの構成を示す図である。本発明のＩＤＴ１は、対向するバス電極２ａ，２ｂから夫々櫛形電極指３を途中で屈曲させて交互に連ねた構成をなしている。本発明のＩＤＴ１は、この構成によって従来例と同様に、バス電極２ａ，２ｂの対向方向から２方向に傾けた櫛形電極指３の配列を形成し、２方向への弾性表示波の励振または２方向からの弾性表示波の受信を実現している。
【００４２】
パネル中央部側（検出領域側）のバス電極２ａは従来例と同様に長尺であり、このバス電極２ａは例えば（＋）側の電極であり、その両端は（＋）側のパッド４に接続されている。ＩＤＴ１の内部には、バス電極２ａに接続される複数の引き出し電極５が、櫛形電極指３と平行に途中で屈曲させて、等ピッチにて通過している。これらの引き出し電極５は、夫々（＋）側のパッド４に接続されている。パネル周縁部側（検出領域とは反対側）のバス電極２ｂは例えば（−）側の電極であり、各バス電極２ｂは（−）側の端子４に接続されている。
【００４３】
ＩＤＴ１は、これらの複数の引き出し電極５によって、繰り返し構成の複数の領域に分画される。このことにより、各分画領域における弾性表面波の励振強度を略一定にしている。また、各分画領域毎のインピーダンスを略等しくしている。具体的には、各分画領域において、引き出し電極５の配置間隔と長さ（交差幅）とで決まる静電容量を略一定にすると共に、各引き出し電極５の幅と長さとを調整してその抵抗を略一定にしている。
【００４４】
図２は、本発明のＩＤＴ１の他の構成を示す図である。図２に示す例は、図１の右部分の電極交差部構造の簡素化を図ったものであり、この構成によって、電極パターン（バス電極２ａ，２ｂ、引き出し電極５）の複雑化が緩和され、一部の引き出し電極５にかかる抵抗負荷も緩和できる。また、この構成では、ＩＤＴ１の隅部の開口が半分になるため、引き出し電極５の配置間隔が２倍になり、その部分での励振効率が強化される。
【００４５】
（第２実施の形態）
次に、引き出し電極５の配置間隔及び幅について説明する。図３は、本発明のＩＤＴ１の一例の部分拡大図である。この図３に示す例は、対向するバス電極２ａ，２ｂから１本ずつ交互に途中で屈曲させた櫛形電極指３を引き出している構成（シングル屈曲電極指タイプ）のＩＤＴ１である。
【００４６】
引き出し電極５にて分画された隣合うＩＤＴ１の分画領域にあって、この引き出し電極５を加えて櫛形電極指３の形成パターンが乱れないように、引き出し電極５の配置間隔と幅とを設定している。引き出し電極５の配置間隔は、櫛形電極指３の形成パターンで決まる一方向の交差幅の整数倍が適しており、特に交差幅に等しいことが最適である。
【００４７】
また、引き出し電極５の幅ｗは、弾性表面波の波長をλとした場合に、ｗ＝（１／４＋ｎ）λ（ｎ：自然数）とすることが好ましい。図４（ａ）は櫛形電極指３の構成を模式的に示しており、１本の櫛形電極指３の幅はλ／４であり、隣合う櫛形電極指３，３の間隙もλ／４である。このような櫛形電極指３の形成パターンに対して、例えばｎ＝１としてｗ＝（λ＋λ／４）＝５λ／４の幅の引き出し電極５を形成した場合に（図４（ｂ））、形成した引き出し電極５を加えても電極パターンが乱れることはない。
【００４８】
図５は、本発明のＩＤＴ１の他の例の部分拡大図である。この図５に示す例は、対向するバス電極２ａ，２ｂから２本ずつ交互に途中で屈曲させた櫛形電極指３を引き出している構成（ダブル屈曲電極指タイプ）のＩＤＴ１である。この構成例では、櫛形電極指３での弾性表面波の反射の影響を抑制する。また、引き出し電極５でも反射の影響を抑制できるように、引き出し電極５は櫛形電極指３と同等の幅の複数の電極線にて構成されている。
【００４９】
引き出し電極５の幅ｗは、弾性表面波の波長をλとした場合に、ｗ＝（３／８＋ｎ）λ（ｎ：負でない整数）とすることが好ましい。図６（ａ）は櫛形電極指３の構成を模式的に示しており、１本の櫛形電極指３の幅はλ／８であり、隣合う櫛形電極指３，３の間隙もλ／８である。このような櫛形電極指３の形成パターンに対して、例えばｎ＝１としてｗ＝（λ＋３λ／８）＝１１λ／８の幅の引き出し電極５を形成した場合に（図６（ｂ））、形成した引き出し電極５を加えても電極パターンが乱れることはない。そして、このような引き出し電極５の構成にすることにより、弾性表面波の内部反射を抑制するためのλ／８の櫛形構造をそのまま生かすことが可能である。
【００５０】
（第３実施の形態）
次に、引き出し電極５のパッド４の構成例について説明する。図７は、パッド４の一例の構成を示す図であり、バス電極２ｂに接続される例えば（−）側の複数のパッド４は、更なるバス電極２ｃに接続されている。引き出し電極５に接続される例えば（＋）側の各パッド４は、これらのバス電極２ｂ，２ｃに挟まれた領域内に配置されている。この構成例では、全ての（−）側のパッド４がバス電極２ｃに接続されているため、１つのパッド４において接点不良が発生しても、その影響が他のパッド４に及ぶことがなく、歩留り向上の効果を奏する。
【００５１】
図８は、パッド４の他の例の構成を示す図であり、バス電極２ｄを引き出し電極５のパッドとして利用している。この場合にはパッドの面積を小さくできて、額縁領域の狭小化を図れる。なお、この例において、引き出し電極５をグランド用の電極とし、バス電極２ｂに接続されるパッド４を信号用のパッドとする場合には、グランド用の電極にて挾むようにしているため、他の駆動信号などの外部からのクロストークの影響を削減する効果を奏する。
【００５２】
（第４実施の形態）
次に、以上のような構成のＩＤＴ１，パッド４等を非圧電基板１０上に構成したパネル本体２０に被せるフレキシブル基板１１について説明する。図９（ａ）はフレキシブル基板１１の全体構成図、図９（ｂ）はパネル本体２０の模式図である。フレキシブル基板１１には、パネル本体２０の複数のパッド４に夫々対応した複数の接続部１２と、接続部１２に接続されて信号を外部に取り出すための引回し線１３とが形成されている。フレキシブル基板１１に形成した低抵抗の引回し線１３に信号を伝送させる構成になっており、抵抗損失を少なくできる。
【００５３】
なお、このフレキシブル基板１１は、図１０（ａ）に示すように、１次元構造の４個のフレキシブル基板１１夫々にてパネル本体２０の４辺を被ってそれらを接合するように構成しても良いし、図１０（ｂ）に示すように、パネル本体２０の形状に合わせた形状を有する額縁状の１個のフレキシブル基板１１にてパネル本体２０を一体的に被うように構成しても良い。
【００５４】
図１１（ａ），（ｂ）は図７に示すパッド構成を有するパネル本体２０にフレキシブル基板１１を被せたレイアウトの一例を示す上面図，斜視図、また、図１２（ａ），（ｂ）は図８に示すパッド構成を有するパネル本体２０にフレキシブル基板１１を被せたレイアウトの他の例を示す上面図，斜視図である。なお、図１１（ａ），図１２（ａ）では被せたフレキシブル基板１１の位置を一点鎖線にて表している。
【００５５】
図１２（ａ），（ｂ）に示す例では、パネル本体２０のＩＤＴ１の上方にまでフレキシブル基板１１を被せており、ＩＤＴ１の上方に引回し線１３を立体交差させて配置する構成にしているため、図１１（ａ），（ｂ）に示す例と比較して、額縁領域の２ｍｍ以上の狭小化を実現することができる。
【００５６】
図１３（ａ），（ｂ）は、フレキシブル基板１１の他の例である折り曲げ型のフレキシブル基板１１の構成例を示す図である。この例では、パネル本体２０の上方側に引回し線１３を配置するのではなく、パネル本体２０の側方側に引回し線１３を配置させた構成とする。即ち、フレキシブル基板１１を非圧電基板１０の厚さ方向に折り曲げて、その折り曲げた部分に引回し線１３を配置させるようにする。よって、パネル本体２０の額縁領域を、引回し線１３の配置領域分だけ狭小化することができる。また、引回し線１３から外部に引き出す端子部が２箇所に分離されるため、クロストークの影響を緩和する効果も期待できる。
【００５７】
また、１次元状の素材を折り曲げてフレキシブル基板１１を構成するようにした場合には、シート状の素材から構成する場合と比べて、中央部を開口させた２次元の額縁構造に依存する空間を素材の無駄なく形成することができ、低コストでの量産が可能となる。特に、一方向に折り曲げてフレキシブル基板１１を構成する場合には、使用する素材の幅が最も小さくなり、より大きな低コスト化につながる。このような場合のフレキシブル基板１１の展開例を図１４（ａ）〜（ｃ）に示す。図１４（ｂ）に示す例のように片面に直列に配置した場合には簡単な構成となり、接続すべきフラットコネクタとして汎用品を使用できる。
【００５８】
【発明の効果】
本発明のタッチパネル装置では、基板の中央部側のバス電極からＩＤＴ内部を通って基板の周縁部側へ引き出し電極を設けるようにしたので、信号がこの引き出し電極を通るようになるため、バス電極での抵抗損失が少なくなり、額縁領域を大きくすることなく、伝送部での抵抗損失を低減することができる。
【００５９】
また、本発明のタッチパネル装置では、引き出し電極によってＩＤＴを複数の領域に均等に分画するようにしたので、各辺から励振される弾性表面波の変換効率を平均化させて、より単純な変換処理にすることができる。引き出し電極によって分画されたＩＤＴの各領域のインピーダンスを等しくするようにしたので、各領域において励振効率の均質化を図ることができる。この分画されたＩＤＴの各領域の静電容量を等しくするようにしたので、安定した駆動検出を行うことができる。複数の引き出し電極夫々の抵抗値を等しくするようにしたので、各領域において励抵抗損失の影響を一定に抑えることができる。
【００６０】
また、本発明のタッチパネル装置では、引き出し電極の幅を（３／８＋ｎ）λ（λ：弾性表面波の波長，ｎ：負でない整数）に設定するようにしたので、設計パラメータでの特性予測を行うことができて、励振効率の低下を防止できる。引き出し電極を櫛歯状とするようにしたので、引き出し電極にも反射波の影響をキャンセルする効果を期待でき、ＩＤＴで生じる不要な機械的反射の影響を緩和できる。
【００６１】
また、本発明のタッチパネル装置では、引き出し電極と接続されるパッドをバス電極内に設けるようにしたので、バス電極の導体部も利用して低抵抗化を図ることができると共に、パッド面積を削減して額縁領域の狭小化も図ることができ、更に、接点不良の影響を最小限に留めて歩留りを向上することができる。
【００６２】
また、本発明のタッチパネル装置では、パネル本体にフレキシブル基板を被せるようにしたので、抵抗損失の更なる低減と伝送の安定化とを図ることができる。フレキシブル基板にてＩＤＴを被うようにしたので、不意の衝撃に対する緩衝部材としてフレキシブル基板が機能し、信頼性を高めることができる。引回し線をＩＤＴの上方に配置するようにしたので、額縁領域の狭小化を図ることができる。フレキシブル基板をパネル本体の厚さ方向に折り曲げて、引回し線をパネル本体の側面に配置するようにしたので、額縁領域の更なる狭小化を図ることができる。１次元状の素材を折り曲げて２次元構造のフレキシブル基板を構成するようにしたので、低コストでの量産を実現することができる。
【図面の簡単な説明】
【図１】本発明のＩＤＴの一例の構成を示す図である。
【図２】本発明のＩＤＴの他の例の構成を示す図である。
【図３】本発明のＩＤＴの一例の部分拡大図である。
【図４】図３に示すＩＤＴの櫛形電極指の構成の模式図である。
【図５】本発明のＩＤＴの他の例の部分拡大図である。
【図６】図５に示すＩＤＴの櫛形電極指の構成の模式図である。
【図７】パッドの一例の構成を示す図である。
【図８】パッドの他の例の構成を示す図である。
【図９】フレキシブル基板の全体構成図及びパネル本体の模式図である。
【図１０】フレキシブル基板の構成例を示す図である。
【図１１】パネル本体にフレキシブル基板を被せたレイアウトの一例を示す上面図及び斜視図である。
【図１２】パネル本体にフレキシブル基板を被せたレイアウトの他の例を示す上面図及び斜視図である。
【図１３】折り曲げ型のフレキシブル基板の構成例を示す図である。
【図１４】フレキシブル基板の展開例を示す図である。
【図１５】従来のタッチパネル装置の構成を示す図である。
【図１６】従来のタッチパネル装置の電極構造例を示す図である。
【図１７】従来のフレキシブル基板を示す図である。
【符号の説明】
１  ＩＤＴ
２ａ，２ｂ  バス電極
３  櫛形電極指
４  パッド
５  引き出し電極
１０  非圧電基板
１１  フレキシブル基板
１２  端子部
１３  引回し線
２０  パネル本体
【図１】
0003871547.tif 000002
【図２】
0003871547.tif 000003
【図３】
0003871547.tif 000004
【図４】
0003871547.tif 000005
【図５】
0003871547.tif 000006
【図６】
0003871547.tif 000007
【図７】
0003871547.tif 000008
【図８】
0003871547.tif 000009
【図９】
0003871547.tif 000010
【図１０】
0003871547.tif 000011
【図１１】
0003871547.tif 000012
【図１２】
0003871547.tif 000013
【図１３】
0003871547.tif 000014
【図１４】
0003871547.tif 000015
【図１５】
0003871547.tif 000016
【図１６】
0003871547.tif 000017
【図１７】
0003871547.tif 000018